【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
眼底の同一位置を走査するように制御された測定光に基づいて得られた前記眼底の断層の情報を示す断層データを複数取得する第１取得手段と、
前記断層データにおけるモーションコントラストを算出するために用いられるパラメータを第１の次元で変換した第１の概略パラメータと、前記断層データにおける前記パラメータを前記第１の次元よりも低い第２の次元で変換した第２の概略パラメータとの演算により、補正係数を取得する第２取得手段と、
前記補正係数を用いて複数の前記断層データのうち少なくとも１つの断層データを補正する補正手段と、
補正された前記少なくとも１つの断層データを含む前記複数の断層データを用いて算出されたモーションコントラストに基づいて、モーションコントラスト画像を生成する生成手段と、
を備える、情報処理装置。
【請求項２】
眼底の同一位置を走査するように制御された測定光に基づいて得られた前記眼底の断層の情報を示す断層データを複数取得する第１取得手段と、
前記断層データにおけるモーションコントラストを算出するために用いられるパラメータを第１の次元で変換した第１の概略パラメータと、前記断層データにおける前記パラメータを前記第１の次元よりも低い第２の次元で変換した第２の概略パラメータとの演算により、補正係数を取得する第２取得手段と、
前記補正係数を用いて、前記断層データのパラメータに対して適用する閾値処理の閾値を補正する補正手段と、
補正された前記閾値を用いて閾値処理した、複数の前記断層データのうち少なくとも１つの断層データのパラメータを用いて算出されたモーションコントラストに基づいて、モーションコントラスト画像を生成する生成手段と、
を備える、情報処理装置。
【請求項３】
眼底を走査するように制御された測定光に基づいて得られた前記眼底の断層の情報を示す断層データを取得する第１取得手段と、
前記断層データにおけるパラメータを第１の次元で変換した第１の概略パラメータと、前記断層データにおける前記パラメータを前記第１の次元よりも低い第２の次元で変換した第２の概略パラメータとの演算により、補正係数を取得する第２取得手段と、
前記断層データを補正する補正手段と、
前記補正された断層データを用いて画像を生成する生成手段と、
を備える、情報処理装置。
【請求項４】
眼底の同一位置を走査するように制御された測定光に基づいて得られた前記眼底の断層の情報を示す断層データを複数取得する第１取得手段と、
モーションコントラストに関するパラメータを第１の次元で変換した第１の概略パラメータと、前記パラメータを前記第１の次元よりも低い第２の次元で変換した第２の概略パラメータとの演算により、補正係数を取得する第２取得手段と、
前記断層データを補正する補正手段と、
前記補正された断層データを用いて画像を生成する生成手段と、
を備える、情報処理装置。
【請求項５】
前記第２取得手段は、
前記眼底の正面に対応する前記断層データにおける前記パラメータを二次元方向に変換して前記第１の概略パラメータを算出し、
前記眼底の正面に対応する前記断層データにおける前記パラメータを一次元方向に変換して前記第２の概略パラメータを算出する、請求項１乃至４のいずれか一項に記載の情報処理装置。
【請求項６】
前記一次元方向は、前記測定光の主走査の軸方向である、請求項５に記載の情報処理装置。
【請求項７】
前記演算は、前記第１の概略パラメータを前記第２の概略パラメータで除算する演算である、請求項１乃至６のいずれか一項に記載の情報処理装置。
【請求項８】
前記第２取得手段は、前記眼底を撮影する撮影装置のロールオフ特性に基づく深度方向の信号減衰を補償するロールオフ補正処理後の前記断層データを用いて前記補正係数を取得する、請求項１乃至７のいずれか一項に記載の情報処理装置。
【請求項９】
前記変換は、平滑化又はモルフォロジー演算である、請求項１乃至８のいずれか１項に記載の情報処理装置。
【請求項１０】
眼底の同一位置を走査するように制御された測定光に基づいて得られた前記眼底の断層の情報を示す断層データを複数取得することと、
前記断層データにおけるモーションコントラストを算出するために用いられるパラメータを第１の次元で変換した第１の概略パラメータと、前記断層データにおける前記パラメータを前記第１の次元よりも低い第２の次元で変換した第２の概略パラメータとの演算により、補正係数を取得することと、
前記補正係数を用いて複数の前記断層データのうち少なくとも１つの断層データを補正することと、
補正された前記少なくとも１つの断層データを含む前記複数の断層データを用いて算出されたモーションコントラストに基づいて、モーションコントラスト画像を生成することと、
を含む、情報処理方法。
【請求項１１】
眼底の同一位置を走査するように制御された測定光に基づいて得られた前記眼底の断層の情報を示す断層データを複数取得することと、
前記断層データにおけるモーションコントラストを算出するために用いられるパラメータを第１の次元で変換した第１の概略パラメータと、前記断層データにおける前記パラメータを前記第１の次元よりも低い第２の次元で変換した第２の概略パラメータとの演算により、補正係数を取得することと、
前記補正係数を用いて、前記断層データのパラメータに対して適用する閾値処理の閾値を補正することと、
補正された前記閾値を用いて閾値処理した、複数の前記断層データのうち少なくとも１つの断層データのパラメータを用いて算出されたモーションコントラストに基づいて、モーションコントラスト画像を生成することと、
を含む、情報処理方法。
【請求項１２】
眼底を走査するように制御された測定光に基づいて得られた前記眼底の断層の情報を示す断層データを取得することと、
前記断層データにおけるパラメータを第１の次元で変換した第１の概略パラメータと、前記断層データにおける前記パラメータを前記第１の次元よりも低い第２の次元で変換した第２の概略パラメータとの演算により、補正係数を取得することと、
前記断層データを補正することと、
前記補正された断層データを用いて画像を生成することと、
を含む、情報処理方法。
【請求項１３】
眼底の同一位置を走査するように制御された測定光に基づいて得られた前記眼底の断層の情報を示す断層データを複数取得することと、
モーションコントラストに関するパラメータを第１の次元で変換した第１の概略パラメータと、前記パラメータを前記第１の次元よりも低い第２の次元で変換した第２の概略パラメータとの演算により、補正係数を取得することと、
前記断層データを補正することと、
前記補正された断層データを用いて画像を生成することと、
を含む、情報処理方法。
【請求項１４】
プロセッサーによって実行されると、該プロセッサーに請求項１０乃至１３のいずれか一項に記載の情報処理方法の各工程を実行させる、プログラム。
【手続補正２】
【補正対象書類名】明細書
【補正対象項目名】発明の名称
【補正方法】変更
【補正の内容】
【発明の名称】情報処理装置、情報処理方法、及びプログラム
【手続補正３】
【補正対象書類名】明細書
【補正対象項目名】０００１
【補正方法】変更
【補正の内容】
【０００１】
本発明は、情報処理装置、情報処理方法、及びプログラムに関する。
【手続補正４】
【補正対象書類名】明細書
【補正対象項目名】００１２
【補正方法】変更
【補正の内容】
【００１２】
そこで、本発明は、断層データの強弱に起因する明暗の発生を抑えたモーションコントラスト画像を生成することができる情報処理装置、情報処理方法、及びプログラムを提供する。
【手続補正５】
【補正対象書類名】明細書
【補正対象項目名】００１３
【補正方法】変更
【補正の内容】
【００１３】
本発明の一実施態様に係る情報処理装置は、眼底の同一位置を走査するように制御された測定光に基づいて得られた前記眼底の断層の情報を示す断層データを複数取得する第１取得手段と、前記断層データにおけるモーションコントラストを算出するために用いられるパラメータを第１の次元で変換した第１の概略パラメータと、前記断層データにおける前記パラメータを前記第１の次元よりも低い第２の次元で変換した第２の概略パラメータとの演算により、補正係数を取得する第２取得手段と、前記補正係数を用いて複数の前記断層データのうち少なくとも１つの断層データを補正する補正手段と、補正された前記少なくとも１つの断層データを含む前記複数の断層データを用いて算出されたモーションコントラストに基づいて、モーションコントラスト画像を生成する生成手段とを備える。
【手続補正６】
【補正対象書類名】明細書
【補正対象項目名】００１５
【補正方法】変更
【補正の内容】
【００１５】
本発明の他の実施態様に係る情報処理装置は、眼底を走査するように制御された測定光に基づいて得られた前記眼底の断層の情報を示す断層データを取得する第１取得手段と、前記断層データにおけるパラメータを第１の次元で変換した第１の概略パラメータと、前記断層データにおける前記パラメータを前記第１の次元よりも低い第２の次元で変換した第２の概略パラメータとの演算により、補正係数を取得する第２取得手段と、前記断層データを補正する補正手段と、前記補正された断層データを用いて画像を生成する生成手段とを備える。
【手続補正７】
【補正対象書類名】明細書
【補正対象項目名】００１７
【補正方法】変更
【補正の内容】
【００１７】
本発明の他の実施態様に係る情報処理方法は、眼底の同一位置を走査するように制御された測定光に基づいて得られた前記眼底の断層の情報を示す断層データを複数取得することと、前記断層データにおけるモーションコントラストを算出するために用いられるパラメータを第１の次元で変換した第１の概略パラメータと、前記断層データにおける前記パラメータを前記第１の次元よりも低い第２の次元で変換した第２の概略パラメータとの演算により、補正係数を取得することと、前記補正係数を用いて複数の前記断層データのうち少なくとも１つの断層データを補正することと、補正された前記少なくとも１つの断層データを含む前記複数の断層データを用いて算出されたモーションコントラストに基づいて、モーションコントラスト画像を生成することとを含む。
【手続補正８】
【補正対象書類名】明細書
【補正対象項目名】００１８
【補正方法】変更
【補正の内容】
【００１８】
本発明の他の実施態様に係る情報処理方法は、眼底の同一位置を走査するように制御された測定光に基づいて得られた前記眼底の断層の情報を示す断層データを複数取得することと、前記断層データにおけるモーションコントラストを算出するために用いられるパラメータを第１の次元で変換した第１の概略パラメータと、前記断層データにおける前記パラメータを前記第１の次元よりも低い第２の次元で変換した第２の概略パラメータとの演算により、補正係数を取得することと、前記補正係数を用いて、前記断層データのパラメータに対して適用する閾値処理の閾値を補正することと、補正された前記閾値を用いて閾値処理した、複数の前記断層データのうち少なくとも１つの断層データのパラメータを用いて算出されたモーションコントラストに基づいて、モーションコントラスト画像を生成することとを含む。
【手続補正９】
【補正対象書類名】明細書
【補正対象項目名】００１９
【補正方法】変更
【補正の内容】
【００１９】
本発明のさらなる他の実施態様に係る情報処理方法は、眼底を走査するように制御された測定光に基づいて得られた前記眼底の断層の情報を示す断層データを取得することと、前記断層データにおけるパラメータを第１の次元で変換した第１の概略パラメータと、前記断層データにおける前記パラメータを前記第１の次元よりも低い第２の次元で変換した第２の概略パラメータとの演算により、補正係数を取得することと、前記断層データを補正することと、前記補正された断層データを用いて画像を生成することとを含む。